(57)【要約】【課題】通信故障等のために本来の通信能力を発揮することができない場合や内視鏡スコープ及びプロセッサー装置の画像処理能力が異なる場合であっても、内視鏡スコープからプロセッサー装置に撮影画像データを適切に供給することができる内視鏡装置を提供する。【解決手段】内視鏡装置１０は、内視鏡スコープ２０と、内視鏡スコープ２０から入力される画像信号Ｓ２に処理を施して映像信号Ｓ３を作成するプロセッサー装置３０とを備える。プロセッサー装置３０における通信能力状態及び画像処理能力に基づく最大処理能力の情報は、プロセッサー側通信デバイス３３介して出力される。スコープ側制御部２４は、内視鏡スコープ２０及びプロセッサー装置３０の通信能力状態及び画像処理能力に基づく最大処理能力を超えない範囲で画像信号Ｓ２がスコープ側通信デバイス２５から出力されるように、撮像部２１（撮像ドライバー２３）及びスコープ側画像処理部２２を制御する。【選択図】図２
2013094269.tif 000002
【特許請求の範囲】
【請求項１】
撮像データを出力する撮像手段と、前記撮像データに処理を施して画像信号をスコープ側通信デバイスを介して出力するスコープ側画像処理手段と、前記撮像手段及び前記スコープ側画像処理手段を制御するスコープ側制御手段とを有する内視鏡スコープと、
プロセッサー側通信デバイスを介して入力される前記画像信号に処理を施して映像信号を作成するプロセッサー側画像処理手段と、前記プロセッサー側画像処理手段を制御するプロセッサー側制御手段とを有するプロセッサー装置と、を備える内視鏡装置であって、
前記プロセッサー側制御手段は、前記プロセッサー装置における通信能力状態及び画像処理能力に基づく前記プロセッサー装置の最大処理能力の情報を前記プロセッサー側通信デバイスを介して出力し、
前記スコープ側制御手段は、前記内視鏡スコープにおける通信能力状態及び画像処理能力に基づく前記内視鏡スコープの最大処理能力の情報と、前記スコープ側通信デバイスを介して入力される前記プロセッサー装置の前記最大処理能力の情報とに基づき、前記撮像手段及び前記スコープ側画像処理手段を制御して、前記内視鏡スコープの前記最大処理能力及び前記プロセッサー装置の前記最大処理能力を超えない範囲で前記画像信号が前記スコープ側通信デバイスから出力されるようにする内視鏡装置。
【請求項２】
前記プロセッサー側制御手段は、前記プロセッサー装置における通信能力の状態を検知するプロセッサー側通信状態検知手段を有し、
前記プロセッサー装置における前記通信能力状態は、前記プロセッサー側通信状態検知手段の検知結果に基づいて決定される請求項１に記載の内視鏡装置。
【請求項３】
前記スコープ側制御手段は、前記内視鏡スコープにおける通信能力の状態を検知するスコープ側通信状態検知手段を有し、
前記内視鏡スコープにおける前記通信能力状態は、前記スコープ側通信状態検知手段の検知結果に基づいて決定される請求項１又は２に記載の内視鏡装置。
【請求項４】
前記スコープ側制御手段は、前記プロセッサー装置の前記最大処理能力が前記内視鏡スコープの前記最大処理能力よりも低い場合、前記画像信号によって表される画像データの画素数を制限するように前記撮像手段及び前記スコープ側画像処理手段を制御して、前記内視鏡スコープの前記最大処理能力及び前記プロセッサー装置の前記最大処理能力を超えない範囲で前記画像信号が前記スコープ側通信デバイスから出力されるようにする請求項１〜３のいずれか１項に記載の内視鏡装置。
【請求項５】
前記スコープ側制御手段は、前記プロセッサー装置の前記最大処理能力が前記内視鏡スコープの前記最大処理能力よりも低い場合、前記画像信号によって表される画像データのフレーム数を制限するように前記撮像手段及び前記スコープ側画像処理手段を制御して、前記内視鏡スコープの前記最大処理能力及び前記プロセッサー装置の前記最大処理能力を超えない範囲で前記画像信号が前記スコープ側通信デバイスから出力されるようにする請求項１〜４のいずれか１項に記載の内視鏡装置。
【請求項６】
前記スコープ側制御手段は、前記プロセッサー装置の前記最大処理能力が前記内視鏡スコープの前記最大処理能力よりも低い場合、前記画像信号がインターレース方式となるように前記撮像手段及び前記スコープ側画像処理手段を制御する請求項１〜５のいずれか１項に記載の内視鏡装置。
【請求項７】
前記内視鏡スコープは、前記スコープ側制御手段に接続される動画−静止画切り替えスイッチであって、静止画表示及び動画表示のうちのいずれかを選択可能とする動画−静止画切り替えスイッチを更に有し、
前記スコープ側制御手段は、前記動画−静止画切り替えスイッチを介して静止画表示が選択される場合には前記撮像データから静止画の前記画像信号が作成されると共に動画表示が選択される場合には前記撮像データから動画の前記画像信号が作成され、前記動画−静止画切り替えスイッチによって静止画表示が選択される場合に前記撮像手段から出力される前記撮像データのフレームレートを、前記動画−静止画切り替えスイッチによって動画表示が選択される場合に前記撮像手段から出力される前記撮像データのフレームレートよりも低減するように、前記撮像手段及び前記スコープ側画像処理手段を制御する請求項１〜６のいずれか１項に記載の内視鏡装置。
【請求項８】
前記撮像手段は、複数の光電変換素子と、前記光電変換素子に対する露光による電荷蓄積時間を調整する電荷蓄積時間調整手段とを有し、
前記スコープ側制御手段は、前記動画−静止画切り替えスイッチによって静止画表示が選択される場合の前記光電変換素子に対する単位フレームあたりの電荷蓄積時間と、前記動画−静止画切り替えスイッチによって動画表示が選択される場合の前記光電変換素子に対する単位フレームあたりの電荷蓄積時間とが略同じになるように、前記撮像手段の前記電荷蓄積時間調整手段を制御する請求項７に記載の内視鏡装置。
【発明の詳細な説明】
【技術分野】
【０００１】
本発明は内視鏡装置に係り、特に、通信能力及び画像処理能力に基づく最大処理能力に関して能力の低いプロセッサー装置に対して能力の高い内視鏡スコープを接続するための技術に関する。
【背景技術】
【０００２】
電子内視鏡装置では、ＣＣＤ（Charge Coupled Device）やＣＭＯＳ（Complementary Metal Oxide Semiconductor）等の固体撮像素子が電子スコープ（電子内視鏡）の先端部に搭載され、この固体撮像素子によって被観察体が撮像される。撮像により得られる撮像信号は、固体撮像素子からプロセッサー装置に出力され、プロセッサー装置において各種の処理が施されて、プロセッサー装置に接続されるモニターでの撮像画像の表示や、記録装置への静止画等の記録に供されることとなる。
【０００３】
近年の高画素ＣＣＤや高画素ＣＭＯＳの開発に伴い、電子内視鏡装置の分野においても内視鏡スコープに搭載される固体撮像素子の高画素化が進み、また撮像データ（撮像信号）の高速処理化も進んでいる。また、モニターにおける映像表示方式としてインターレース方式及びプログレッシブ方式（ノンインターレース方式）が一般に採用されているが、より良好な画質による映像表示のニーズが高まってきており、プログレッシブ方式による映像表示が標準になりつつある。
【０００４】
例えばテレビモニター用のインターレース方式のフィールド信号ＯＤＤ、ＥＶＥＮ（奇数フィールド、偶数フィールド）によって静止画を作る場合には、データ補間のために連続する２ラインに対して同一データを適用して画像表示することが一般的に行われる。このようなインターレース方式の場合、解像度が悪くなるだけではなく、奇数フィールドの基になるデータの作成タイミング（電荷蓄積タイミング）と偶数フィールドの基になるデータの作成タイミングとが異なる。したがって、この作成タイミングの相違により、モニター等で再現される画像のノイズ感が悪化することとなる。
【０００５】
このように、撮像素子の高画素化、画像処理の高速化、及びプログレッシブ方式映像表示の標準化等が進むにつれ、内視鏡スコープから出力される画像情報量が増大している。
【０００６】
内視鏡スコープはこのような多量の画像情報を送信するために広帯域・高転送レートの信号を出力するように構成されるが、能力の低い従来のプロセッサー装置では内視鏡スコープから送られてくるそのような広帯域・高転送レートの信号を適切に処理することが難しい場合がある。その一方で、プロセッサー装置自体が高価であるため、内視鏡スコープから出力される広帯域信号に対応可能な新しいプロセッサー装置に買い替えるということは、現実的には簡単ではない。
【０００７】
そのため、広帯域信号を出力する高出力レートの内視鏡スコープを従来のプロセッサー装置に接続して使用したいというニーズが存在する。
【０００８】
特許文献１は、高画素数の固体撮像素子を搭載した電子スコープを、高画素数に対応していないプロセッサー装置に接続して使用する技術を開示する。この特許文献１に記載の技術によれば、固体撮像素子から出力される画像信号の画素数をプロセッサー側最大画素数の画像信号へダウンコンバートし、ダウンコンバートされた画像信号が内視鏡スコープからプロセッサーに出力される。このダウンコンバートは、具体的には、水平画素については５ドットの入力に対して４ドットを出力し、垂直画素については５ラインの入力に対して４ラインを出力するようになっている。
【０００９】
一方、内視鏡スコープとプロセッサー装置との間における通信情報量の増大に伴い、多量の情報を短時間で通信するための様々な手法が提案されており、単一経路（単一系統）よる通信手法だけではなく、複数の経路を利用する通信手法も採用されている。
【００１０】
また特に内視鏡では、手元のフリーズボタンを操作して動画及び静止画を切り替えることのニーズが存在するが、動画及び静止画の両者の画質を良好なものとすることは必ずしも容易ではなく、画質を向上させるための種々の技術が提案されている。例えば特許文献２は、フリーズ操作が行われた時に解像度変換回路を動作させて、インターレース走査用信号をノンインターレース走査用信号に変換し、かつ垂直解像度を整数倍にする技術を開示する。この特許文献２に開示の技術によって、テレビモニター以外の表示器で内視鏡画像を利用する場合に、特に静止画において解像度を向上させることができる。
【先行技術文献】
【特許文献】
【００１１】
【特許文献１】特開２００５−１１８１５８号公報
【特許文献２】特開２００１−４５４７３号公報
【発明の概要】
【発明が解決しようとする課題】
【００１２】
上述のように特許文献１では、広帯域信号を出力する内視鏡スコープを従来の画像プロセッサー装置に接続して使用するために、固体撮像素子から出力される画像信号の画素を間引くことで、内視鏡スコープを従来のプロセッサー装置に対応させている。また特許文献２では、フリーズ操作時にインターレース方式の信号をノンインターレース方式の信号に変換することで、静止画像の画質向上が図られている。
【００１３】
しかしながら特許文献１及び特許文献２に記載の方法では、内視鏡スコープとプロセッサー装置との間の通信状態に不具合が生じた際に、十分に対応することができない。すなわち、内視鏡スコープとプロセッサー装置との間における通信系統に不具合が生じて、本来の通信能力を発揮することができない場合がある。例えば２系統の伝送路を利用した通信において、片方の系統において断線等による通信障害が生じてしまうことがある。このような場合、通信機能が制限されてしまい、本来予定していた画素数やフレームレートによる画像情報を内視鏡スコープからプロセッサー装置に適切に送信することができないケースも想定される。
【００１４】
本発明はこのような事情に鑑みてなされたものであり、通信故障等のために本来の通信能力を発揮することができない場合や内視鏡スコープ及びプロセッサー装置の画像処理能力が異なる場合であっても、内視鏡スコープからプロセッサー装置に撮影画像データを適切に供給することができる内視鏡装置を提供することを目的とする。
【００１５】
また、転送レートが高い内視鏡スコープを従来のプロセッサー装置に接続した場合であっても、動画データ及び静止画データを内視鏡スコープからプロセッサー装置に適切に送信することができ、特に静止画の画質を極力劣化させない内視鏡装置を提供することを目的とする。
【課題を解決するための手段】
【００１６】
本発明の一態様は内視鏡装置に関し、撮像データを出力する撮像手段と、前記撮像データに処理を施して画像信号をスコープ側通信デバイスを介して出力するスコープ側画像処理手段と、前記撮像手段及び前記画像処理手段を制御するスコープ側制御手段とを有する内視鏡スコープと、プロセッサー側通信デバイスを介して入力される前記画像信号に処理を施して映像信号を作成するプロセッサー側画像処理手段と、前記プロセッサー側画像処理手段を制御するプロセッサー側制御手段とを有するプロセッサー装置と、を備える内視鏡装置であって、前記プロセッサー側制御手段は、前記プロセッサー装置における通信能力状態及び画像処理能力に基づく前記プロセッサー装置の最大処理能力の情報を前記プロセッサー側通信デバイスを介して出力し、前記スコープ側制御手段は、前記内視鏡スコープにおける通信能力状態及び画像処理能力に基づく前記内視鏡スコープの最大処理能力の情報と、前記スコープ側通信デバイスを介して入力される前記プロセッサー装置の前記最大処理能力の情報とに基づき、前記撮像手段及び前記スコープ側画像処理手段を制御して、前記内視鏡スコープの前記最大処理能力及び前記プロセッサー装置の前記最大処理能力を超えない範囲で前記画像信号が前記スコープ側通信デバイスから出力されるようにする内視鏡装置に関する。
【００１７】
本態様によれば、内視鏡スコープ及びプロセッサー装置の通信能力状態及び画像処理能力に基づく最大処理能力を超えない範囲で、画像信号がスコープ側通信デバイスから出力される。したがって、通信不良で本来の通信能力を発揮できない場合や内視鏡スコープとプロセッサー装置との画像処理能力が異なる場合であっても、内視鏡スコープからプロセッサー装置に画像信号（撮影画像データ）を適切に供給することができる。また、高転送レート（広転送帯域幅）の内視鏡スコープを能力の低いプロセッサー装置に接続した場合であっても、内視鏡スコープからプロセッサー装置に画像信号を適切に送信することができる。
【００１８】
ここでいう通信能力状態とは、送受信可能な通信能力の状態を指し、例えば複数の通信経路のうちの一部経路において通信を行うことができない場合には、正常な通信経路のみによって信号処理可能な通信能力の状態を意味する。
【００１９】
望ましくは、前記プロセッサー側制御手段は、前記プロセッサー装置における通信能力の状態を検知するプロセッサー側通信状態検知手段を有し、前記プロセッサー装置における前記通信能力状態は、前記プロセッサー側通信状態検知手段の検知結果に基づいて決定される。
【００２０】
本態様によれば、プロセッサー側通信状態検知手段によってプロセッサー装置における通信能力の状態を検知することができる。
【００２１】
望ましくは、前記スコープ側制御手段は、前記内視鏡スコープにおける通信能力の状態を検知するスコープ側通信状態検知手段を有し、前記内視鏡スコープにおける前記通信能力状態は、前記スコープ側通信状態検知手段の検知結果に基づいて決定される。
【００２２】
本態様によれば、スコープ側通信状態検知手段によって内視鏡スコープにおける通信能力の状態を検知することができる。
【００２３】
望ましくは、前記スコープ側制御手段は、前記プロセッサー装置の前記最大処理能力が前記内視鏡スコープの前記最大処理能力よりも低い場合、前記画像信号によって表される画像データの画素数を制限するように前記撮像手段及び前記スコープ側画像処理手段を制御して、前記内視鏡スコープの前記最大処理能力及び前記プロセッサー装置の前記最大処理能力を超えない範囲で前記画像信号が前記スコープ側通信デバイスから出力されるようにする。
【００２４】
本態様によれば、プロセッサー装置の最大処理能力が内視鏡スコープの最大処理能力よりも低い場合には、画像信号の画像データの画素数が制限されて、内視鏡スコープ及びプロセッサー装置の最大処理能力超えない範囲で画像信号をスコープ側通信デバイスから出力することができる。画素数の制限手法の一例としては、画像データを構成する複数画素の一部を間引く手法がある。
【００２５】
望ましくは、前記スコープ側制御手段は、前記プロセッサー装置の前記最大処理能力が前記内視鏡スコープの前記最大処理能力よりも低い場合、前記画像信号によって表される画像データのフレーム数を制限するように前記撮像手段及び前記スコープ側画像処理手段を制御して、前記内視鏡スコープの前記最大処理能力及び前記プロセッサー装置の前記最大処理能力を超えない範囲で前記画像信号が前記スコープ側通信デバイスから出力されるようにする。
【００２６】
本態様によれば、プロセッサー装置の最大処理能力が内視鏡スコープの最大処理能力よりも低い場合には、画像信号の画像データのフレーム数が制限されて、内視鏡スコープ及びプロセッサー装置の最大処理能力超えない範囲で画像信号をスコープ側通信デバイスから出力することができる。
【００２７】
ここでいうフレーム数の制限する手法としては、例えばプログレッシブ方式の画像信号のフレーム数を直接的に低減する場合だけではなく、インターレース方式の画像信号のフィールド数によって実質的に実現可能なフレーム数を低減する場合が挙げられる。
【００２８】
望ましくは、前記スコープ側制御手段は、前記プロセッサー装置の前記最大処理能力が前記内視鏡スコープの前記最大処理能力よりも低い場合、前記画像信号がインターレース方式となるように前記撮像手段及び前記スコープ側画像処理手段を制御する。
【００２９】
本態様によれば、プロセッサー装置の最大処理能力が内視鏡スコープの最大処理能力よりも低い場合には、インターレース方式の画像信号がスコープ側通信デバイスを介して出力される。一般に、奇数フィールド及び偶数フィールドによって１フレームが実現されるインターレース方式の信号は、プログレッシブ方式の信号と比べてデータ量を低減（半減）することができる。したがって、本態様では、通信データ量を効果的に低減することができる。
【００３０】
望ましくは、前記内視鏡スコープは、前記スコープ側制御手段に接続される動画−静止画切り替えスイッチであって、静止画表示及び動画表示のうちのいずれかを選択可能とする動画−静止画切り替えスイッチを更に有し、前記スコープ側制御手段は、前記動画−静止画切り替えスイッチを介して静止画表示が選択される場合には前記撮像データから静止画の前記画像信号が作成されると共に動画表示が選択される場合には前記撮像データから動画の前記画像信号が作成され、前記動画−静止画切り替えスイッチによって静止画表示が選択される場合に前記撮像手段から出力される前記撮像データのフレームレートを、前記動画−静止画切り替えスイッチによって動画表示が選択される場合に前記撮像手段から出力される前記撮像データのフレームレートよりも低減するように、前記撮像手段及び前記スコープ側画像処理手段を制御する。
【００３１】
本態様によれば、動画−静止画切り替えスイッチを介して静止画表示及び動画表示を切り替えることができ、静止画表示時に撮像手段から出力される撮像データのフレームレートが動画表示時よりも低減される。したがって、静止画表示の場合には、全体のデータ量が低減されるため、データ量が十分に低減された撮像データが撮像手段から出力される場合には、インターレース化等のデータ量低減化のための更なる処理を行わずに、内視鏡スコープからプロセッサー装置に画像信号を送信することも可能となる。そのため、転送レートが高い内視鏡スコープを従来のプロセッサー装置に接続した場合であっても、動画データ及び静止画データを内視鏡スコープからプロセッサー装置に適切に送信することができ、特に静止画の画質の劣化を抑えることができる。
【００３２】
望ましくは、前記撮像手段は、複数の光電変換素子と、前記光電変換素子に対する露光による電荷蓄積時間を調整する電荷蓄積時間調整手段とを有し、前記スコープ側制御手段は、前記動画−静止画切り替えスイッチによって静止画表示が選択される場合の前記光電変換素子に対する単位フレームあたりの電荷蓄積時間と、前記動画−静止画切り替えスイッチによって動画表示が選択される場合の前記光電変換素子に対する単位フレームあたりの電荷蓄積時間とが略同じになるように、前記撮像手段の前記電荷蓄積時間調整手段を制御する。
【００３３】
本態様によれば、電荷蓄積時間調整手段によって、静止画表示時の単位フレームあたりの電荷蓄積時間が動画表示時の単位フレームあたりの電荷蓄積時間と略同じになるため、移動被写体の撮像静止画のブレを効果的に抑制することができる。
【００３４】
なお、ここでいう電荷蓄積時間調整手段として電子シャッターが挙げられるが、特に限定されるものではなく、メカニカルシャッターを電荷蓄積時間調整手段として採用してもよい。また、光電変換素子に対する露光による電荷蓄積時間を調整することができる任意の手段を電荷蓄積時間調整手段として採用することができ、例えば、発光のオン−オフを制御して光電変換素子に対する露光時間を調整する機構が採用されてもよい。
【発明の効果】
【００３５】
本発明によれば、内視鏡スコープ及びプロセッサー装置の通信能力状態及び画像処理能力に基づく最大処理能力を超えない範囲で、画像信号がスコープ側通信デバイスから出力されるため、通信不良で本来の通信能力を発揮できない場合や内視鏡スコープとプロセッサー装置との画像処理能力が異なる場合であっても、内視鏡スコープからプロセッサー装置に画像信号（撮影画像データ）を適切に供給することができる。
【図面の簡単な説明】
【００３６】
【図１】本発明の一実施形態に係る電子内視鏡システムの概略構成を示した全体構成図である。
【図２】内視鏡システムの一例を示す機能ブロック図である。
【図３】内視鏡スコープのハード構成の一例を示すブロック図である。
【図４】内視鏡スコープ及びプロセッサー装置間の通信制御の一例を示すフローチャートである。
【図５】プロセッサー装置に通信障害が生じた際に、画像信号の画素数を低減して通信する場合の一例を示すフローチャートである。
【図６】画像信号のＲＧＢデータを間引くデータ処理の概念を示すイメージ図である。
【図７】動画表示時の画像データのフレームレートを制限する手法の一例を示す概念図であり、（ａ）はプログレッシブ方式による画像表示の場合の動画処理例を示し、（ｂ）はインターレース方式による画像表示の場合の動画処理例を示す。
【図８】静止画表示時の画像データのフレームレートを制限する手法の一例を示す概念図であり、（ａ）はプログレッシブ方式による画像表示の場合の静止画処理例を示し、（ｂ）はインターレース方式による画像表示の場合の静止画処理例を示す。
【図９】イメージセンサー（ＣＭＯＳ）の撮像データの出力レートと、シャッタースピード（電荷蓄積時間／露光時間）と、内視鏡スコープからプロセッサー装置への画像信号の出力レートとの関係を示す図であり、図９（ａ）は動画表示時の関係を示し、図９（ｂ）は静止画表示時の関係を示す。
【図１０】図７（動画表示）及び図８（静止画表示）に示す例を採用した場合のフローチャートである。
【発明を実施するための形態】
【００３７】
図面を参照して、本発明の実施形態について説明する。まず、電子内視鏡及びプロセッサー装置が接続されて構成される内視鏡システムの全体構成について説明し（図１〜３参照）、その後、各種の詳細な制御構成等について説明する（図４〜１０参照）。
【００３８】
＜内視鏡システムの全体構成＞
図１は、本発明の一実施形態に係る電子内視鏡システムの概略構成を示した全体構成図である。図１に示すように、本実施形態の内視鏡システム（内視鏡装置）１０は、画像信号を出力する内視鏡スコープ（電子内視鏡）２０と、当該内視鏡スコープ２０に接続されるプロセッサー装置３０及び光源装置５０と、プロセッサー装置３０に接続されるモニター４０とを備える。
【００３９】
内視鏡スコープ２０は、患者（被検体）の体腔内に挿入される可撓性の挿入部１１と、挿入部１１の基端部分に連設される操作部１２と、プロセッサー装置３０及び光源装置５０に接続されるユニバーサルコード１３とを備える。
【００４０】
挿入部１１の先端には、体腔内撮影用のイメージセンサー（ＣＭＯＳ撮像装置等）などが内蔵された先端部１４が連設されている。先端部１４の後方には、複数の湾曲駒を連結した湾曲部１５が設けられている。湾曲部１５は、操作部１２に設けられたアングルノブ１６が操作されて、挿入部１１内に挿設されたワイヤーが押し引きされることにより、上下左右方向に湾曲動作する。これにより、先端部１４を所望の方向に向けることができる。
【００４１】
操作部１２には、ユーザー（術者）によって操作される各種ボタン・スイッチ類が設けられており、注射針や高周波メスなどの各種処置具が挿通される鉗子口１８、先端部１４の送気・送水用ノズルへの送気・送水を行うための送気・送水ボタン１７、画像の静止画／動画を切り替えるためのフリーズボタン（動画−静止画切り替えスイッチ）２７、等が設けられている。
【００４２】
ユニバーサルコード１３の基端は、コネクター１９に連結されている。コネクター１９は複合タイプの接続部であり、当該コネクター１９を介してプロセッサー装置３０及び光源装置５０とユニバーサルコード１３とが連結される。
【００４３】
プロセッサー装置３０は、ユニバーサルコード１３内に挿通されたケーブルを介して内視鏡スコープ２０に給電を行い、先端部１４のイメージセンサーからケーブルを介して伝送された撮像信号（画像信号）を受信し、受信した画像信号に各種信号処理を施して画像データ(映像信号）を作成する。画像データは、プロセッサー装置３０にケーブル接続されたモニター４０に送られ、モニター４０において動画又は静止画の撮影画像として表示される。
【００４４】
なお本例では、内視鏡スコープ２０、プロセッサー装置３０、及びモニター４０の各ユニット間がケーブルによる有線接続される例を示したが、これらのユニット間の接続態様は特に限定されず、例えば電波を利用した無線接続や光接続等の他の接続態様を適宜採用することが可能である。
【００４５】
図２は、内視鏡システム１０の一例を示す機能ブロック図である。
【００４６】
内視鏡スコープ２０は、被観察体を撮像する撮像部２１と、撮像部２１の撮像によって得られる撮像データＳ１を受信するスコープ側画像処理部２２と、撮像部２１をコントロールする撮像ドライバー２３と、スコープ側画像処理部２２及びスコープ側制御部２４に接続され外部デバイス（プロセッサー装置３０）との通信インターフェースを構成するスコープ側通信デバイス２５と、内視鏡スコープ２０の各部（スコープ側画像処理部２２、撮像ドライバー２３、スコープ側通信デバイス２５、フリーズボタン２７等）に接続されるスコープ側制御部２４とを備える。
【００４７】
撮像部２１は、内視鏡スコープ２０の先端部１４（図１参照）に設けられ、撮像ドライバー２３から送られてくる撮像指示信号に応じ、被観察体を撮像して撮像データＳ１を出力する撮像手段である。具体的には、フォトダイオード等の受光素子（光電変換素子）によって構成される複数画素が２次元に多数配列されて成るＣＣＤやＣＭＯＳ等の固体撮像素子（イメージセンサー）、体腔内を照光して被観察部位の像光を取り込むための対物光学系、当該対物光学系を経由した像光を固体撮像素子に向けて導光するためのプリズム、等を含んで撮像部２１は構成される。なお、ＣＭＯＳセンサーは、従来のＣＣＤよりも転送レートを高くすることが可能であり、例えば６０Ｐ（フレーム周波数６０［Ｈｚ］のプログレッシブスキャン）のデータを出力可能である。
【００４８】
また本例の撮像部２１は、プロセッサー装置３０の対応画素数よりも高画素数の撮像データＳ１を得ることができるようになっている。例えば８５万画素までのＣＣＤやＣＭＯＳにしか対応することができないプロセッサー装置３０を使用する場合であっても、本発明によれば、例えば１３０万画素のＣＣＤやＣＭＯＳを内視鏡スコープ２０の撮像部２１に採用することが可能である。なお、撮像部２１の画素数や撮像方式等は特に限定されず、高画素数出力が可能な所望の固体撮像素子を撮像部２１において使用することができる。
【００４９】
なお、本例の撮像部２１（固体撮像素子）では、受光素子に対する露光による電荷蓄積時間の調整を電子シャッター（電荷蓄積時間調整手段）によって行っており、その種類に応じた適切な電子シャッター機構（ローリングシャッター、グローバルシャッター等）を含む。
【００５０】
スコープ側画像処理部２２は、スコープ側制御部２４の制御下で、撮像データＳ１に所定の処理を施して画像信号Ｓ２を作成し、スコープ側通信デバイス２５を介して当該画像信号Ｓ２をプロセッサー装置３０に出力する画像処理手段である。スコープ側画像処理部２２おいて行われる画像処理の詳細については後述する（図４〜１０参照）。
【００５１】
撮像ドライバー２３は、スコープ側制御部２４の制御下で撮像部２１を制御するドライバーであり、撮像部２１の撮像方式に応じた撮像指示信号を撮像部２１に送信する。したがって、撮像部２１がＣＭＯＳを採用する場合にはＣＭＯＳ方式の撮像指示信号が撮像ドライバー２３から撮像部２１に送られ、また撮像部２１がＣＣＤを採用する場合にはＣＣＤ方式の撮像指示信号が撮像ドライバー２３から撮像部２１に送られる。
【００５２】
なお、撮像部２１の電子シャッター制御も撮像ドライバー２３によって行われる。受光素子（光電変換素子）に対する露光による電荷蓄積時間は、スコープ側制御部２４によって制御される撮像ドライバー２３を介して調整される（後述の図１０参照）。
【００５３】
スコープ側制御部２４は、内視鏡スコープ２０を構成する各部を直接的に或いは間接的に統括制御するコントローラーであり、撮像ドライバー２３を介して撮像部２１による撮像をコントロールするとともに、スコープ側画像処理部２２における画像処理をコントロールする。またスコープ側制御部２４は、撮像ドライバー２３（撮像部２１）、スコープ側画像処理部２２或いはスコープ側通信デバイス２５等を適宜制御することによって、各種コントロールを行う。例えば、スコープ側画像処理部２２からスコープ側通信デバイス２５に供給されスコープ側通信デバイス２５から出力されるデータ（画像信号Ｓ２）の通信や、フリーズボタン２７の押し下げ状態（スイッチング状態）に応じた動画に基づく画像信号Ｓ２と静止画に基づく画像信号Ｓ２との切り替え、等のコントロールを、スコープ側制御部２４は行う。
【００５４】
本例のスコープ側制御部２４は、内視鏡システム１０における通信能力状態及び画像処理能力の情報を取得及び把握しており、特に内視鏡システム１０における通信能力の状態を適宜検知するスコープ側通信状態検知部２６を有する。したがって、故障等によってスコープ側通信デバイス２５からの通信能力が制限されるような場合であっても、スコープ側通信状態検知部２６は通信状態（通信制限量、実施可能通信量、等）を適切に検知し、この検知結果に基づいて内視鏡スコープ２０における通信能力状態がスコープ側制御部２４において適切に決定及び把握される。
【００５５】
そしてスコープ側制御部２４は、内視鏡スコープ２０における通信能力状態及び画像処理能力に基づく内視鏡スコープ２０の最大処理能力の情報と、スコープ側通信デバイス２５を介して入力されるプロセッサー装置３０の最大処理能力の情報とに基づき、撮像部２１（撮像ドライバー２３）及びスコープ側画像処理部２２を制御する。具体的には、内視鏡スコープ２０及びプロセッサー装置３０の通信能力状態及び画像処理能力に基づく最大処理能力を超えない範囲で画像信号Ｓ２がスコープ側通信デバイス２５から出力されるように、撮像部２１及びスコープ側画像処理部２２はスコープ側制御部２４によって制御されるようになっている。
【００５６】
これにより、通信状態に応じた最大転送可能な画素数やフレームレート（画像信号）で、内視鏡スコープ２０とプロセッサー装置３０との間の通信を行うことが可能である。したがって、例えば信号伝送路が２系統ある場合に片方の伝送路の断線などで通信不良が生じ、本来の元画素数・元フレームレートでの通信が難しい場合であっても、画素数・フレームレートを落とした通信情報（画像信号）によって通信が行われる。このようにデータ量の低減した画像信号であれば、他方の正常な伝送路のみによって通信することが可能である。この画像信号Ｓ２の出力制御の詳細については後述する（図４〜１０参照）。
【００５７】
フリーズボタン２７は、ユーザー（術者）によって操作され、静止画表示及び動画表示のうちのいずれかを選択可能とする動画−静止画切り替えスイッチを構成する。スコープ側制御部２４は、フリーズボタン２７を介して静止画表示が選択される場合には撮像データＳ１から静止画の画像信号Ｓ２が作成されるように、またフリーズボタン２７を介して動画表示が選択される場合には撮像データＳ１から静止画の画像信号Ｓ２が作成されるように、撮像部２１（撮像ドライバー２３）及びスコープ側画像処理部２２を制御する。本例における、静止画選択時及び動画選択時における具体的な画像処理については後述する（図４〜１０参照）。
【００５８】
一方、プロセッサー装置３０は、内視鏡スコープ２０から入力される画像信号Ｓ２に所定の画像処理を施して映像信号Ｓ３を作成するプロセッサーである。このプロセッサー装置３０は、スコープ側通信デバイス２５との間で通信可能なプロセッサー側通信デバイス３３と、プロセッサー側通信デバイス３３を介して入力される画像信号Ｓ２に画像処理を施して映像信号Ｓ３を作成するプロセッサー側画像処理部３１と、プロセッサー装置３０の各部（プロセッサー側画像処理部３１、プロセッサー側通信デバイス３３、等）を制御するプロセッサー側制御部３２とを備える。
【００５９】
プロセッサー側画像処理部３１は、内視鏡スコープ２０から送られてくる画像信号Ｓ２の信号レベルの調整、ＲＧＢ変換、インターレース／プログレッシブ変換、等の所定の画像処理をプロセッサー側制御部３２の制御下で実行して映像信号Ｓ３を作成し、この映像信号Ｓ３を所定の出力インターフェースを介してモニター４０に出力する。プロセッサー側画像処理部３１で行われるこれらの画像処理は特に限定されるものではなく、後段のモニター４０で撮影画像を適切に再現するための映像信号Ｓ３を、前段の内視鏡スコープ２０から送られてくる画像信号Ｓ２から適切に作り出すことができる任意の処理をプロセッサー側画像処理部３１において実行することが可能である。
【００６０】
プロセッサー側制御部３２は、プロセッサー装置３０を構成する各部を直接的に或いは間接的に統括制御するコントローラーであり、プロセッサー側画像処理部３１における画像処理をコントロールする。またプロセッサー側制御部３２は、プロセッサー側通信デバイス３３を介して送受信されるデータ（画像信号Ｓ２）の通信コントロールを、プロセッサー側画像処理部３１やプロセッサー側通信デバイス３３を適宜制御することによって行う。
【００６１】
本例のプロセッサー側制御部３２は、プロセッサー装置３０における通信能力状態及び画像処理能力の情報を取得及び把握しており、特にプロセッサー装置３０における通信能力状態を適宜検知するプロセッサー側通信状態検知部３４を有する。したがって、故障等によってプロセッサー側通信デバイス３３を介した通信能力が制限されているような場合であっても、プロセッサー側通信状態検知部３４は通信状態（通信制限量、実施可能通信量、等）を適切に検知し、この検知結果に基づいてプロセッサー装置３０における通信能力状態がプロセッサー側制御部３２において適切に決定及び把握される。
【００６２】
そしてプロセッサー側制御部３２は、プロセッサー装置３０における通信能力状態及び画像処理能力に基づくプロセッサー装置３０の最大処理能力の情報（プロセッサー側能力信号Ｓ４）を、プロセッサー側通信デバイス３３を介して出力するようになっている。なお、プロセッサー側通信デバイス３３から出力されるこのプロセッサー側能力信号Ｓ４は、内視鏡スコープ２０のスコープ側通信デバイス２５を介してスコープ側制御部２４に入力されるようになっている。
【００６３】
このように内視鏡システム１０では、撮像部２１の撮像データＳ１がスコープ側画像処理部２２において信号処理され、内視鏡スコープ２０からプロセッサー装置３０に画像信号Ｓ２が送られ、プロセッサー側画像処理部３１における画像処理後に映像信号Ｓ３がモニター４０に送られるようになっている。モニター４０は、送られてくる映像信号Ｓ３に基づき、撮像部２１による撮影画像（動画又は静止画）を再現するようになっている。
【００６４】
なお、プロセッサー装置３０（プロセッサー側画像処理部３１）からモニター４０に入力される映像信号Ｓ３は、インターレース方式であってもよいしプログレッシブ方式であってもよく、モニター４０は任意の映像方式を採用することができる。また、プロセッサー装置３０に入力される画像信号Ｓ２もインターレース方式であってもよいしプログレッシブ方式であってもよく、インターレース方式の画像信号Ｓ２からプログレッシブ方式の映像信号Ｓ３を創出する任意の画像処理やプログレッシブ方式の画像信号Ｓ２からインターレース方式の映像信号Ｓ３を創出する任意の画像処理をプロセッサー装置３０（プロセッサー側画像処理部３１）において実施可能としてもよい。
【００６５】
上述の内視鏡スコープ２０及びプロセッサー装置３０を構成する各部は、各種のデバイス（回路（チップ）等）によって適宜実現可能であり、各種機能を適切に実現することが可能な構成であれば、そのハード構成は特に限定されない。
【００６６】
図３は、内視鏡スコープ２０のハード構成の一例を示すブロック図である。図３の内視鏡スコープ２０では、撮像部２１にＣＭＯＳ撮像装置６１が採用されている。ＣＭＯＳ撮像装置６１から出力される撮像データの信号は、クロックジェネレーター（ＣＬＫ）６２から出力されるクロック信号と重畳的に、高速伝送が可能なＬＶＤＳ（Low Voltage Differential Signal）伝送方式によりシリアル信号として出力される。ＣＭＯＳ撮像装置６１には、各種回路が含まれ、例えば相関二重サンプリング（ＣＤＳ）回路、自動ゲイン回路（ＡＧＣ）、アナログ／デジタル（Ａ／Ｄ）変換器、パラレル／シリアル変換部、ＬＶＤＳ送信部、等を含むことができる。
【００６７】
ＣＭＯＳ撮像装置６１からのデータ信号は、バッファーメモリ（Ｂｕｆｆｅｒ）６７を介して通信インターフェース（通信Ｉ／Ｆ）６９の第１入力側端子７１に送られるとともに、クロックデータリカバリー回路（ＣＤＲ）６３に送られる。
【００６８】
クロックデータリカバリー回路６３では撮像データ信号とクロック信号とが分離され、撮像データ信号はシリアル／パラレル変換回路（Ｓ／Ｐ）６４に送られ、クロック信号は垂直／水平カウンター（Ｈ／Ｖ Ｃｏｕｎｔｅｒ）６８に送られる。
【００６９】
シリアル／パラレル変換回路６４では、撮像データ信号がシリアル伝送方式の信号からパラレル伝送方式の信号に変換される。このパラレル伝送方式の撮像データ信号は、通信インターフェース６９の第２入力側端子７２に送られるとともに、Ｙ／Ｃ分離回路（Ｙ／Ｃ）６５に送られる。Ｙ／Ｃ分離回路６５では、撮像データ信号（画像データ）から輝度信号（輝度データ）（Ｙ）と色信号（色差データ）（Ｃ）とが分離され、このＹ／Ｃ分離後の撮像データ信号はフレーム／フィールド回路６６（Ｆｒａｍｅ／Ｆｉｅｌｄ）に送られる。
【００７０】
フレーム／フィールド回路６６は、ラインメモリー等のメモリを有し、Ｙ／Ｃ分離回路６５から送られてくる撮像データ信号と、垂直／水平カウンター６８において走査線の水平位置（Ｈ）及び垂直位置（Ｖ）を示すカウンター信号とから、画像フレーム（プログレッシブ方式のフレーム信号）から画像フィールド（インターレース方式のフィールド信号）を作成する。この作成された画像フィールドの信号は、通信インターフェース６９の第３入力側端子７３に送られる。
【００７１】
通信インターフェース６９では、接続されるプロセッサー装置３０の通信方式に応じて、第１入力側端子７１、第２入力側端子７２及び第３入力側端子７３のいずれかと、プロセッサー装置３０側の出力側端子７４とが接続される。これにより、所望フォーマットの画像信号を内視鏡スコープ２０からプロセッサー装置３０へ適切に送信することができる。なお、マイコン７０が通信インターフェース６９を介してプロセッサー装置３０と通信可能に設けられており、内視鏡スコープ２０の上記各部はマイコン７０からの制御信号に従って適宜制御される。
【００７２】
図３に示す装置構成は一例に過ぎず、他の補正回路等を必要に応じて適宜組み込むことも可能であるし、他の装置構成が採用されてもよい。
【００７３】
＜内視鏡スコープとプロセッサー装置との間の通信制御及び画像処理制御＞
上述のように、本例の内視鏡システム１０は、内視鏡スコープ２０及びプロセッサー装置３０の通信能力状態及び画像処理能力に基づく最大処理能力を超えない範囲で画像信号Ｓ２がスコープ側通信デバイス２５から出力されるように構成されている。
【００７４】
一般に、例えば６０フレーム／秒（６０Ｐ）のデータ出力レートを有するイメージセンサー（ＣＭＯＳ等）が搭載される内視鏡スコープを、専用のプロセッサー装置ではなく、従来の比較的低能力（低転送レート）のプロセッサー装置に接続しようとする場合、プロセッサー装置が内視鏡スコープの高転送レートに対応することができないことがある。この場合、プロセッサー装置では、内視鏡スコープから送信される画像信号を適切に受信することができず、６０Ｐの画像データ（動画）をモニターにおいて適切に表示することができない。そこで、本発明の一実施形態に係る以下の内視鏡システムでは、イメージセンサーから出力可能なデータ量を半分に低減した上で、内視鏡スコープからプロセッサー装置への転送レートを低く抑えてデータ転送が行われる。
【００７５】
また、インターレース方式の信号（例えば６０フィールド／秒（６０Ｉ））の１ラインのデータを２回使って静止画像（６０Ｐの静止画像）を作成すると、静止画としては解像度が必ずしも十分ではなく、得られる静止画像はノイズ感が目立つこととなる。そこで本発明の一実施形態に係る以下の内視鏡システムでは、ユーザー（術者）によってフリーズボタンが押されて静止画像の作成が指示されたら、イメージセンサーからの出力レート（フレームレート）が動画出力時の半分（３０Ｐ）に抑えられる。そして、そのデータはそのまま（３０Ｐのまま）プロセッサー装置に送られる。この場合、静止画の基になる単フレームあたりのデータ数が動画出力時のデータ数の倍になるため、解像度の高い静止画を得ることができる。その一方で、出力レート（フレームレート）を半分（３０Ｐ）にすることに伴いイメージセンサーの電荷蓄積時間を長くすると、動いている被写体の静止画ではブレが生じて画質が劣化する。したがって、静止画出力時にイメージセンサーからの出力レートを上記のように制限する一方で、イメージセンサーの電荷蓄積時間を制限して実質的な露光時間を短縮（例えば６０Ｐ相当の時間に短縮）することで静止画の画質劣化が防がれている。
【００７６】
以下、これらの通信制御及び画像処理制御の一例について、図面を参照して説明する。
【００７７】
図４は、内視鏡スコープ２０及びプロセッサー装置３０の接続時における、通信制御の一例を示すフローチャートである。
【００７８】
本例の内視鏡システム１０では、内視鏡スコープ２０とプロセッサー装置３０とが接続されると（図４のＳ１０）、内視鏡スコープ２０及びプロセッサー装置３０の各々において、画像処理能力及び通信状態に基づく最大処理能力が把握される（Ｓ１２）。例えば内視鏡スコープ２０では、スコープ側制御部２４（スコープ側通信状態検知部２６）によって、撮像部２１（撮像ドライバー２３）及びスコープ側画像処理部２２等を介して画像処理能力が把握され、またスコープ側画像処理部２２及びスコープ側通信デバイス２５等を介して通信能力（通信可能状態）が把握される。一方、内視鏡スコープ２０では、プロセッサー側制御部３２（プロセッサー側通信状態検知部３４）により、プロセッサー側画像処理部３１及びプロセッサー側通信デバイス３３を介して画像処理能力及び通信能力が把握される。
【００７９】
そして、把握された内視鏡スコープ２０及びプロセッサー装置３０の最大処理能力に基づき、通信する画像信号の具体的なフォーマットが決定される（Ｓ１４）。本例では、プロセッサー装置３０における画像処理能力及び通信能力に基づく最大処理能力を示すプロセッサー側能力信号Ｓ４が、プロセッサー側制御部３２からプロセッサー側通信デバイス３３及びスコープ側通信デバイス２５を介してスコープ側制御部２４に送信される。そして、スコープ側制御部２４において、把握された内視鏡スコープ２０及びプロセッサー装置３０の最大処理能力が比較され、内視鏡スコープ２０及びプロセッサー装置３０の各々の最大処理能力を超えない範囲で、画像信号Ｓ２の具体的な通信フォーマットが決定される。
【００８０】
例えばプロセッサー装置３０の最大処理能力が内視鏡スコープ２０の最大処理能力よりも劣る場合（内視鏡スコープ２０の最大処理能力＞プロセッサー装置３０の最大処理能力）、プロセッサー装置３０の最大処理能力を上限として、画像信号Ｓ２の通信フォーマットが決定される。一方、プロセッサー装置３０の最大処理能力が内視鏡スコープ２０の最大処理能力よりも勝る場合（内視鏡スコープ２０の最大処理能力＜プロセッサー装置３０の最大処理能力）、内視鏡スコープ２０の最大処理能力を上限として、画像信号Ｓ２の通信フォーマットが決定される。
【００８１】
なお、ここでいう画像信号の通信フォーマットとは、例えば内視鏡スコープ２０からプロセッサー装置３０に送信される画像信号Ｓ２を構成する画像データの画素数、フレーム数（フィールド数）、表示方式（プログレッシブ方式／インターレース方式）等の、信号情報量に影響を及ぼす各種要素を含みうる概念である。本例では、内視鏡スコープ２０（スコープ側通信デバイス２５）とプロセッサー装置３０（プロセッサー側通信デバイス３３）との間で確立可能な通信容量（通信レート、通信帯域幅、等）で対応可能な範囲で、画像信号の通信フォーマットが決定される。
【００８２】
スコープ側制御部２４は、決定した通信画像信号フォーマットに従って、撮像部２１（撮像ドライバー２３）、スコープ側画像処理部２２、スコープ側通信デバイス２５等を制御し（Ｓ１６）、内視鏡スコープ２０とプロセッサー装置３０との間で画像信号Ｓ２の通信が行われる（Ｓ１８）。
【００８３】
したがって例えば、通信ケーブルの一部断線等によりプロセッサー装置３０における通信が制限される場合であっても、本例の内視鏡システム１０によれば、内視鏡スコープ２０からプロセッサー装置３０へ送信される画像信号Ｓ２の情報量が、画像データを構成する画素数の低減やフレームレートの低減等により、プロセッサー装置３０の最大処理能力の範囲に収められる。これにより、内視鏡スコープ２０とプロセッサー装置３０との間における適切な通信を確保することができる。
【００８４】
図５は、プロセッサー装置３０に通信故障が生じた際に、画像信号Ｓ２の画像データを構成する画素数を低減して通信する場合の一例を示すフローチャートである。
【００８５】
内視鏡スコープ２０とプロセッサー装置３０との接続時に、プロセッサー装置３０における通信ケーブルの一部断線等の故障（通信障害）の有無がプロセッサー側通信状態検知部３４（プロセッサー側制御部３２）によって検知される（図５のＳ２０）。そして、プロセッサー側制御部３２では、検知した通信障害の程度やプロセッサー装置３０における画像処理能力に応じて、通信可能な通信画素数を決定する（Ｓ２２）。したがって、プロセッサー装置３０における通信故障により通信が制限される場合には、本来の通信可能画素数（処理可能画素数）よりも低減された画素数が通信画素数として定められる。
【００８６】
このようにして決定されたプロセッサー装置３０における通信可能画素数の情報は、プロセッサー側制御部３２からプロセッサー側通信デバイス３３及びスコープ側通信デバイス２５を介してスコープ側制御部２４に送信されるプロセッサー側能力信号Ｓ４に乗せられる（Ｓ２４）。
【００８７】
スコープ側制御部２４では、プロセッサー側制御部３２から送られてくるプロセッサー装置３０の通信画素数（最大処理能力）と内視鏡スコープ２０における最大処理能力とが比較され、画像信号Ｓ２を構成する画像データの画素数（通信画素数）が決定される。したがって、上記のように決定（低減）されたプロセッサー装置３０の通信画素数が、内視鏡スコープ２０において通信可能な画素数（最大処理能力）よりも低い場合、画像信号Ｓ２の画像データの画素数がプロセッサー装置３０の通信画素数に制限されて、内視鏡スコープ２０からプロセッサー装置３０に画像信号Ｓ２が送られる（Ｓ２６）。
【００８８】
なお、内視鏡スコープ２０における通信状態（通信障害の有無等）も、内視鏡スコープ２０とプロセッサー装置３０との接続時に、スコープ側通信状態検知部２６によって検知され、内視鏡スコープ２０における通信可能な通信画素数がスコープ側制御部２４によって決定されるようになっている。
【００８９】
上述のように本例の内視鏡システム１０では、内視鏡スコープ２０及びプロセッサー装置３０の最大処理能力（通信能力、画像処理能力、等）に基づき、内視鏡スコープ２０とプロセッサー装置３０との間における通信情報量（転送レート）の低減化が行われる。この通信情報量の低減化の手法については、内視鏡スコープ２０とプロセッサー装置３０との間で適切にデータの送受信を行うことができれば特に限定されるものではない。
【００９０】
以下、通信情報量の低減手法の具体例について説明する。
【００９１】
＜画素間引きによるデータ量低減＞
内視鏡スコープ２０とプロセッサー装置３０との間における通信情報量（画像信号Ｓ２の情報量）の低減化の手法として、画像データの画素数を制限する手法がある。例えばプロセッサー装置３０の最大処理能力（通信能力等）が内視鏡スコープ２０の最大処理能力よりも低い場合、スコープ側制御部２４は、画像信号Ｓ２によって表される画像データの画素数を制限するように撮像部２１(撮像ドライバー２３）及びスコープ側画像処理部２２を制御して、内視鏡スコープ２０の最大処理能力及びプロセッサー装置３０の最大処理能力を超えない範囲で画像信号Ｓ２がスコープ側通信デバイス２５から出力されるようにする。
【００９２】
図６は、内視鏡スコープ２０からプロセッサー装置３０に送られる画像信号Ｓ２によって表されるＲＧＢデータを間引くデータ処理の概念を示すイメージ図である。なお図６には、説明の便宜上６×６のＲＧＢ画素のみが示されているが、撮像部２１のイメージセンサ（ＣＣＤ、ＣＭＯＳ等）は、非常に多数の画素が２次元配列されて成る。
【００９３】
図６に示す例では、奇数ライン（第１ライン、第３ライン、第５ライン：Ｇｂ／Ｂライン）においてＢ（ブルー）及びＧｂ（グリーン）の画素が交互に規則的に配列され、偶数ライン（第２ライン、第４ライン、第６ライン：Ｒ／Ｇｒライン）においてＧｒ（グリーン）及びＲ（レッド）の画素が交互に規則的に配列されている。これらの複数ラインによって構成される画素データは、連続する奇数ライン及び偶数ラインのセット（「第１ライン及び第２ライン」のセット、「第３ライン及び第４ライン」のセット、「第５ライン及び第６ライン」のセット）毎に、隣接画素の一方が間引かれる画素間引き処理が行われる。
【００９４】
例えば各Ｒ／Ｇｒラインでは、データチャンネル１（Ｄａｔａ  ｃｈ１）に対してＲ画素が間引かれてＧｒ画素のみによって構成されるデータが割り当てられる一方で、データチャンネル２（Ｄａｔａ  ｃｈ２）に対してＧｒ画素が間引かれてＲ画素のみによって構成されるデータが割り当てられる。また各Ｇｂ／Ｂラインでは、データチャンネル１（Ｄａｔａ  ｃｈ１）に対してＢ画素が間引かれてＧｂ画素のみによって構成されるデータが割り当てられる一方で、データチャンネル２（Ｄａｔａ  ｃｈ２）に対してＧｂ画素が間引かれてＢ画素のみによって構成されるデータが割り当てられる。これらの間引き対象のラインは、フレーム切り替え時間毎（例えば１／６０秒毎）に切り替えられる。これにより、各ラインのデータ量が半分になるように画素間引きが行われ、内視鏡スコープ２０からプロセッサー装置３０（スコープ側通信デバイス２５からプロセッサー側通信デバイス３３）に出力される信号（画像信号Ｓ２）の情報量を半分にすることができ、転送周波数（転送レート）を半分に低減することが可能となる。
【００９５】
なお、画素間引きの手法は特に限定されるものではなく、必要とされるデータ低減量に応じた画素間引き量・画素間引き手法が適宜採用可能である。また、画素間引き処理は、撮像部２１のイメージセンサーからの画素データ読み出し時に行われてもよいし、イメージセンサーの画素データを間引くことなく所定メモリに読み出した後に、スコープ側画像処理部２２において画素間引き処理が行われてもよい。したがって、撮像部２１のイメージセンサーとしてＣＭＯＳを採用する場合には、ＣＭＯＳを構成する所望画素のデータを読み出すことで画素間引き処理を行ってもよい。また撮像部２１のイメージセンサーとしてＣＣＤを採用する場合には、スコープ側画像処理部２２に設けられる所定メモリにＣＣＤの画素データを読み出して記憶し、メモリに蓄積されるデータに基づいて画素間引き処理を行ってもよい。
【００９６】
＜フレーム数制限によるデータ量低減＞
内視鏡スコープ２０とプロセッサー装置３０との間における通信情報量（画像信号Ｓ２の情報量）の低減化の手法として、画像データのフレーム数（フレームレート）を制限する手法がある。例えばプロセッサー装置３０の最大処理能力が内視鏡スコープ２０の最大処理能力よりも低い場合、スコープ側制御部２４は、画像信号Ｓ２によって表される画像データのフレーム数を制限するように撮像部２１(撮像ドライバー２３）及びスコープ側画像処理部２２を制御して、内視鏡スコープ２０の最大処理能力及びプロセッサー装置３０の最大処理能力を超えない範囲で画像信号Ｓ２がスコープ側通信デバイス２５から出力されるようにする。
【００９７】
ここでいう画像データのフレーム数を制限することは、プログレッシブ方式による画像信号の場合にフレーム数を直接的に低減することによって実現可能である。また、画像信号をプログレッシブ方式からインターレース方式に切り替えて、インターレース方式のフィールド数によって実現される実質的なフレーム数を間接的に低減することによっても実現可能である。
【００９８】
またフリーズボタン２７（図１参照）によって動画−静止画が選択切り替えされる例では、フリーズボタン２７によって静止画表示が選択される場合に撮像部２１から出力される撮像データのフレームレートを、フリーズボタン２７よって動画表示が選択される場合に撮像部２１から出力される撮像データのフレームレートよりも低減するように、スコープ側制御部２４は撮像部２１(撮像ドライバー２３）及びスコープ側画像処理部２２を制御する。
【００９９】
図７及び図８は、画像データのフレーム数（フレームレート）を制限する手法の一例を示す概念図であり、図７は動画表示時の画像処理例を示し、図８は静止画表示時の画像処理例を示す。なお、図７及び図８では、説明の便宜上、２〜４のフレーム数、フィールド数のみが示されているが、実際にはより多数のフレームデータ（例えば６０フレーム数、６０フィールド数）が作成されることとなる。
【０１００】
まず、図７を参照して、動画表示時の画像処理例について説明する。図７（ａ）はプログレッシブ方式による画像表示の場合の動画処理例を示し、図７（ｂ）はインターレース方式による画像表示の場合の動画処理例を示す。
【０１０１】
図７（ａ）に示すプログレッシブ方式による画像表示の例では、撮像部２１のイメージセンサ（ＣＭＯＳ）から６０フレーム／秒（６０Ｐ）のフレームレートで撮像データＳ１が読み出され、この撮像データＳ１はスコープ側画像処理部２２のラインメモリー等の所定メモリに順次蓄積（記憶）される。スコープ側画像処理部２２では、順次、メモリに蓄積される１／６０秒（１／６０ｓ）毎のフレームデータを構成する複数ラインのうち隣接ラインの一方が間引かれて、奇数フィールド（ＯＤＤ）及び偶数フィールド（ＥＶＥＮ）（インターレース方式信号）が作成される。本例では、各フレームから奇数フィールド又は偶数フィールドのいずれか１つが作成され、１／６０秒毎のフレームから１／６０秒毎に交互に切り替わる奇数フィールド及び偶数フィールド（フィールド周波数６０［Ｈｚ］（６０Ｉ））が時系列的に作り出される。
【０１０２】
このようにして作り出される奇数フィールド及び偶数フィールドの各々は各フレームのライン数の半分のラインのデータによって構成されるため、スコープ側通信デバイス２５から出力送信される画像信号Ｓ２のラインデータ量も半分（１／２）になる。具体的な手法としては、フレーム／フィールド変換回路（図３のフレーム／フィールド回路６６参照）でラインメモリーを利用して１ライン分のデータを間引くことで、データ数や転送レートを半分にすることができる。
【０１０３】
プロセッサー装置３０のプロセッサー側画像処理部３１では、内視鏡スコープ２０から送られてくるこのインターレース方式信号に基づいて、１／６０秒毎の各フレームのデータが作られる。例えば、内視鏡スコープ２０から送られてくる奇数フィールド又は偶数フィールドを構成する各ラインを順次２つ並べることによって、イメージセンサー（ＣＭＯＳ）から出力される元のフレームのライン数を確保して、プログレッシブ方式の画像表示に対応することができる。なお、インターレース方式信号（奇数フィールド及び偶数フィールド）からプログレッシブ方式のフレームデータを作成する方法は特に限定されず、任意の手法をプロセッサー装置３０（プロセッサー側画像処理部３１）で採用することができる。
【０１０４】
一方、図７（ｂ）に示すインターレース方式による画像表示の例では、イメージセンサ（ＣＭＯＳ）から６０フレーム／秒で撮像データＳ１が読み出され、奇数フィールド（ＯＤＤ）及び偶数フィールド（ＥＶＥＮ）（インターレース方式信号）が作成される（６０Ｐから６０Ｉが作成される）ところまでは、図７（ａ）に示すプログレッシブ方式の画像表示の場合と同様である。本例ではインターレース方式による画像表示が行われるため、スコープ側画像処理部２２からスコープ側通信デバイス２５を介して出力されるインターレース方式の画像信号Ｓ２が、プロセッサー側画像処理部３１においてそのまま使用される。したがって、撮像部２１のイメージセンサーから６０フレーム／秒で出力される撮像データＳ１から６０フィールド／秒の画像信号Ｓ２が作られ、プロセッサー装置３０のプロセッサー側画像処理部３１において６０フィールド／秒（３０フレーム／秒相当）の映像信号Ｓ３が出力される。
【０１０５】
次に、静止画表示時の画像処理例について説明する。
【０１０６】
一般に、従来機のプロセッサー装置は、インターレース方式の画像信号に基づいてプログレッシブ方式で画像表示を行う場合、インターレース方式の画像信号（フィールド信号）の１ライン分のデータを２回使用して２ライン分のデータとし、プログレッシブ方式画像表示（例えば６０Ｐ）のための画像処理を行う。一方、インターレース方式の画像信号に基づいてプログレッシブ方式で画像表示を行う場合には、奇数フィールド（ＯＤＤ）と偶数フィールド（ＥＶＥＮ）とが順番に使用されて実質的に３０フレーム／秒のデータが作成される。このような従来方法によって静止画を表示するケースにおいて、プログレッシブ方式の画像表示では、同一データが２ラインに適用されるため、全体として解像度が悪くなって画質が荒くなる。またインターレース方式の画像表示においても、フィールドモードで静止画を作る場合には同じデータが２ラインで使用されるため、全体として解像度が悪くなって画質が荒くなる。一方フレームモードで静止画を作る場合には、奇数フィールド及び偶数フィールドの２フィールドのデータを重ねることで静止画が作られるが、奇数フィールド及び偶数フィールドの撮像タイミング（電荷蓄積タイミング）が相違するため、被写体（被観察体）が動いていると奇数フィールドと偶数フィールドとの画像が異なってしまい、静止画のノイズ感が強くなる。
【０１０７】
そこで本例では、静止画表示のトリガーとしてフリーズボタン２７（図１及び図２参照）が押された場合には、撮像部２１のイメージセンサー（ＣＭＯＳ等）の出力レートを落とす（例えば６０Ｐから３０Ｐに落とす）ための制御信号がスコープ側制御部２４から撮像ドライバー２３に送られ、撮像ドライバー２３は当該制御信号に従って撮像部２１を駆動する（図２参照）。
【０１０８】
図８（ａ）はプログレッシブ方式による画像表示の場合の静止画処理例を示し、図８（ｂ）はインターレース方式による画像表示の場合の静止画処理例を示す。
【０１０９】
本例では、撮像部２１のイメージセンサーからの撮像データＳ１に関し、動画表示時（図７参照）に比べて静止画表示時にフレームレートが低減される。例えば、動画表示時の撮像データＳ１のフレームレートが６０Ｐの場合に、静止画表示時の撮像データＳ１のフレームレートが３０Ｐに低減される。
【０１１０】
例えば図８（ａ）に示すプログレッシブ方式による画像表示の例では、イメージセンサ（ＣＭＯＳ）から３０フレーム／秒（３０Ｐ）のフレームレートで撮像データＳ１が読み出され、この撮像データＳ１はスコープ側画像処理部２２のラインメモリー等の所定メモリに順次蓄積（記憶）される。スコープ側画像処理部２２では、順次、この３０Ｐの撮像データＳ１から３０Ｐのプログレッシブ方式の画像信号Ｓ２が作成され、この画像信号Ｓ２はスコープ側通信デバイス２５を介して出力される。
【０１１１】
このように本例では、動画表示時のフレームレート（６０Ｐ）の半分のフレームレート（３０Ｐ）によって静止画に関する画像信号Ｓ２が送受信されるため、６０Ｐの画像信号Ｓ２を送受信する場合の半分の転送レートで画像信号Ｓ２の送受信を行うことができる。特に、３０Ｐの画像信号Ｓ２は低転送レートで送信可能であるため、スコープ基板側では、インターレース方式の画像信号に変換することなく、３０Ｐのままで画像信号Ｓ２を内視鏡スコープ２０（スコープ側通信デバイス２５）からプロセッサー装置３０（プロセッサー側通信デバイス３３）に送信することができる。プロセッサー側画像処理部３１では、この３０Ｐの画像信号Ｓ２を使用してプログレッシブ方式の画像表示に対応可能な映像信号Ｓ３が作成される。
【０１１２】
一方、図８（ｂ）に示すインターレース方式による画像表示の例では、イメージセンサ（ＣＭＯＳ）から３０フレーム／秒で撮像データＳ１が読み出され、３０Ｐの撮像データＳ１から３０Ｐの画像信号Ｓ２が作成されて出力されるところまでは、図８（ａ）に示すプログレッシブ方式の画像表示の場合と同様である。本例ではインターレース方式による画像表示が行われるため、プロセッサー側画像処理部３１において、奇数フィールド（ＯＤＤ）及び偶数フィールド（ＥＶＥＮ）（インターレース方式信号）が作成される（３０Ｐから６０Ｉが作成される）。本例では、１／３０秒毎のプログレッシブ方式の各フレームから１／６０秒毎のインターレース方式の２つのフィールド（奇数フィールド（ＯＤＤ）及び偶数フィールド（ＥＶＥＮ））が作成される。このとき作成されるインターレース方式の２つのフィールドは、プログレッシブ方式の１フレームに相当する。このように本例においても、動画表示時のフレームレート（６０Ｐ）の半分のフレームレート（３０Ｐ）によって静止画に関する画像信号Ｓ２が送受信されるため、６０Ｐの画像信号Ｓ２を送受信する場合の半分の転送レートで画像信号Ｓ２の送受信を行うことができる。
【０１１３】
上述のように、プロセッサー装置３０に接続されるモニター４０がプログレッシブ画像表示方式の場合、プロセッサー装置３０では、内視鏡スコープ２０から送られてくる３０Ｐの画像信号Ｓ２のデータをそのままモニター４０に表示させることになるので（図８（ａ）参照）、表示される静止画像の解像度が３０Ｉの場合と比べて２倍になり、画質を向上させることができる（なお、モニター４０では、同一の静止画像が１／６０秒毎に２回表示される）。一方、モニター４０がインターレース表示方式の場合、内視鏡スコープ２０から送られてくる３０Ｐの画像信号Ｓ２の同一フレームのデータから奇数フィールド及び偶数フィールドの対が作成される。したがって、１フレームを構成する奇数フィールド及び偶数フィールドは同じタイミング（時間）で電荷蓄積されて得られるデータであるため、得られる静止画のノイズ感を改善することができる。
【０１１４】
なお、上述の「撮像部２１（イメージセンサー）からのプログレッシブ方式信号（６０Ｐ）」から「インターレース方式信号（６０Ｉ）」の作成は、ＲＧＢデータのＣ／Ｙ変換（図３のＹ／Ｃ分離回路６５参照）の後、フレーム／フィールド回路６６において行われる。
【０１１５】
なお、フリーズボタン２７が押し下げられて動画表示から静止画表示に切り替えられた直後には、内視鏡スコープ２０からプロセッサー装置３０への通信信号のヘッダー部分にそのような切り替えを通知するための情報（切り替え通知信号）が含められる。プロセッサー装置３０では、この切り替え通知信号に基づいて、動画表示モードから静止画表示モードに切り替わったことを把握することができ、プロセッサー装置３０における処理が動画用の処理から静止画用の処理に切り替えられる。また、フリーズボタン２７の押し下げが解除されて静止画表示から動画表示に切り替えられた直後においても、同様に、通信信号のヘッダー部分に切り替え通知信号が含められ、プロセッサー装置３０では、この切り替え通知信号に基づいて静止画用の処理から動画用の処理に切り替えられる。
【０１１６】
なお、静止画表示の際に撮像部２１のイメージセンサー（ＣＭＯＳ等）からのフレームレートを動画表示時よりも低減することによって、各フレームの対応時間も静止画表示時のほうが動画表示時よりも長くなる。例えば上述のように、６０Ｐの動画表示の場合には各フレームの対応時間が１／６０秒になるが、３０Ｐの静止画表示の場合には各フレームの対応時間が１／３０秒になる。したがって、イメージセンサーの各画素の電荷蓄積可能時間（露光可能時間）も動画表示時よりも静止画表示時のほうが長くなり、静止画の画像ブレが生じやすくなる。
【０１１７】
そこで本例では、そのような静止画表示の際の画像ブレによるノイズ感を抑えるため、フリーズボタン２７によって静止画表示が選択される場合のイメージセンサーに対する単位フレームあたりの電荷蓄積時間と、動画表示が選択される場合のイメージセンサーに対する単位フレームあたりの電荷蓄積時間とが同じになるように、スコープ側制御部２４は撮像ドライバー２３を介して撮像部２１のシャッター手段（電子シャッター）を制御する。
【０１１８】
図９は、イメージセンサー（ＣＭＯＳ）の撮像データＳ１の出力レートと、撮像部２１におけるシャッター手段によるシャッタースピード（電荷蓄積時間／露光時間）と、内視鏡スコープ２０（スコープ側通信デバイス２５）の画像信号Ｓ２の出力レートとの関係を示す図であり、図９（ａ）は動画表示時の関係を示し、図９（ｂ）は静止画表示時の関係を示す。
【０１１９】
図９（ａ）に示すように、動画表示時のイメージセンサー（撮像部２１）の撮像データＳ１の出力レートが６０フレーム／秒（６０Ｐ）であってスコープ側通信デバイス２５からの画像信号Ｓ２の出力レートが６０フィールド／秒（６０Ｉ）の場合（図７参照）、これらの単位フレーム及び単位フィールド当たりの対応時間は１／６０秒となる。このとき、イメージセンサーのシャッター時間は１／６０秒に設定することができ、イメージセンサーの撮像素子に対する電荷蓄積時間（露光時間）も１／６０秒となる。このような１／６０秒のシャッタースピードは、現実的見地から有用な設定であり、画像ブレを効果的に抑止することができる。なお、Ｓｕｂ掃き出しパルスは１／６０秒毎に印加される。
【０１２０】
一方、図９（ｂ）に示すように、静止画表示時のイメージセンサー（撮像部２１）の撮像データＳ１の出力レートが３０フレーム／秒（３０Ｐ）であってスコープ側通信デバイス２５からの画像信号Ｓ２の出力レートが３０フレーム／秒（３０Ｐ）の場合（図８参照）、単位フレーム当たりの対応時間は１／３０秒となる。このとき、イメージセンサーのシャッター時間は、動画表示時と同じ１／６０秒に設定される。例えば、電子シャッターを利用する場合には、単位フレームに対応する時間（本例では１／３０秒）の前半部分（本例では前半の１／６０秒）では、Ｓｕｂ電荷掃き出しパルスが連続的に加えられて、イメージセンサーにおける電荷蓄積が行われない。そして、単位フレームに対応する時間の後半部分（本例では後半の１／６０秒）では、Ｓｕｂ電荷掃き出しパルスの印加が止められ、イメージセンサーにおける電荷蓄積が行われる。このように、静止画表示時のシャッター時間を１／６０秒にすることによって、イメージセンサーの撮像素子に対する電荷蓄積時間（露光時間）を動画表示時と同じ１／６０秒にすることができる。このように、動画表示時と同じシャッタースピード（１／６０秒）に設定することによって、画像ブレを動画表示時と同等のレベルに抑止することができる。
【０１２１】
なお上述の例では電子シャッターによって、イメージセンサーの撮像素子に対する電荷蓄積時間（露光時間）を調整する例について説明したが、シャッター手段はこれに限定されるものではない。例えば、外光が届かない体内を先端部１４が進行する内視鏡スコープ２０では、光源装置５０からの光を利用して撮像が行われる。したがって、スコープ先端（撮像部２１）において発光が行われている時間のみイメージセンサーの電荷蓄積が行われ、スコープ先端における発光を止めれば体内のイメージセンサーでは電荷蓄積が行われないものと考えることができる。したがって、シャッター時間を電子シャッターによって調整する代わりに、光源装置５０からの光による照光時間を調整することによって、イメージセンサーの撮像素子に対する単位フレーム当たりの電荷蓄積時間を調整してもよい（図9（ｂ）の「ＴＬ：光照射時間」参照）。すなわち、プロセッサー側制御部３２が光源装置５０を制御して、各フレームの対応時間のうち１／６０秒のみ内視鏡スコープ２０のスコープ先端部（撮像部２１）において発光させることで、６０Ｐの動画撮像時と同じ電荷蓄積時間の画像を得ることができる。また、１／６０秒という非常に短時間のシャッター時間（シャッタースピード）を実現することができるのであれば、電子シャッターの代わりにメカニカルシャッターが採用されてもよい。なお、これらの場合にも、Ｓｕｂ掃き出しパルスは１／６０秒毎に印加される。
【０１２２】
次に、プロセッサー装置３０の最大処理能力（通信能力、画像処理能力）が内視鏡スコープ２０の最大処理能力よりも劣る場合に、図７（動画表示）及び図８（静止画表示時）に示す画像処理例を採用して、内視鏡スコープ２０とプロセッサー装置３０との間で画像信号Ｓ２の送受信を行う例について説明する。
【０１２３】
図１０は、図７（動画表示）及び図８（静止画表示）に示す例を採用した場合の内視鏡スコープ２０の画像信号Ｓ２の出力レートに関するフローチャートである。本例では、フリーズボタン２７（図１参照）が押し下げられていない通常時に動画表示がなされ、フリーズボタン２７が押し下げられる場合に静止画表示がなされる。
【０１２４】
フリーズボタン２７が押し下げられていない通常時には、６０フレーム／秒（６０Ｐ）で撮像部２１（イメージセンサー）から出力される撮像データＳ１に基づき、スコープ側画像処理部２２において６０フィールド／秒（６０Ｉ）の画像信号Ｓ２が作成される。そして、この６０フィールド／秒（６０Ｉ）の画像信号Ｓ２は、内視鏡スコープ２０（スコープ側通信デバイス２５）とプロセッサー装置３０（プロセッサー側通信デバイス３３）との間で送受信される（図７参照）（図１０のＳ３０）。
【０１２５】
ユーザー（術者）によってフリーズボタン２７が押し下げられない状態が続けば、６０フィールド／秒（６０Ｉ）の画像信号Ｓ２が、引き続き、内視鏡スコープ２０とプロセッサー装置３０との間で送受信される（Ｓ３２のＮ）。
【０１２６】
一方、フリーズボタン２７が押し下げられると（Ｓ３２のＹ）、動画表示モードから静止画表示モードに切り替えられ、撮像部２１（イメージセンサー）から出力される撮像データＳ１のフレームレートが６０フレーム／秒（６０Ｐ）から３０フレーム／秒（３０Ｐ）に低減され、この３０フレーム／秒（３０Ｐ）の画像信号Ｓ２が内視鏡スコープ２０とプロセッサー装置３０との間で送受信される（図８参照）（Ｓ３４）。
【０１２７】
ユーザーによってフリーズボタン２７が押し下げられた状態が続けば、３０フレーム／秒（３０Ｐ）の画像信号Ｓ２が、引き続き、内視鏡スコープ２０とプロセッサー装置３０との間で送受信される（Ｓ３６のＮ）。
【０１２８】
一方、フリーズボタン２７の押し下げが解除されると（Ｓ３６のＹ）、通常時に戻り、静止画表示モードから動画表示モードに切り替えられ、撮像部２１（イメージセンサー）からは再び６０フレーム／秒（６０Ｐ）で撮像データＳ１が出力されるように、スコープ側制御部２４が撮像ドライバー２３（撮像部２１）を制御する（Ｓ３０）。
【０１２９】
以上説明したように、上述の内視鏡システム１０によれば、能力の低いプロセッサー装置３０に対して能力の高い内視鏡スコープ２０を接続した場合であっても、画像信号Ｓ２を内視鏡スコープ２０からプロセッサー装置３０に適切に送ることができる。したがって、市場にある従来のプロセッサー装置に対して転送速度の高い新しい内視鏡を接続することが可能である。また、そのような場合、転送速度が制限されるため動画の解像度等の画質は落ちるが、静止画の解像度等の画質は劣化が防がれ、高画質の静止画データを内視鏡スコープ２０からプロセッサー装置３０に送信することができる。加えて、静止画撮影時のイメージセンサーの撮像素子の単位フレーム当たりの電荷蓄積時間を制限（短縮化）することによって、素早く動く被写体の撮影時であってもブレが抑えられた良質な静止画撮像データを得ることができる。
【符号の説明】
【０１３０】
１０…内視鏡システム、１１…挿入部、１２…操作部、１３…ユニバーサルコード、１４…先端部、１５…湾曲部、１６…アングルノブ、１７…送気・送水ボタン、１８…鉗子口、１９…コネクター、２０…電子内視鏡、３０…プロセッサー装置、４０…モニター、５０…光源装置、２１…撮像部、２２…スコープ側画像処理部、２３…撮像ドライバー、２４…スコープ側制御部、２５…スコープ側通信デバイス、２６…スコープ側通信状態検知部、２７…フリーズボタン、３１…プロセッサー側画像処理部、３２…プロセッサー側制御部、３３…プロセッサー側通信デバイス、３４…プロセッサー側通信状態検知部、６１…ＣＭＯＳ撮像装置、６２…クロックジェネレーター、６３…クロックデータリカバリー回路、６４…シリアル／パラレル変換回路、６５…Ｙ／Ｃ分離回路、６６…フレーム／フィールド回路、６７…バッファーメモリ、６８…垂直／水平カウンター、６９…通信インターフェース、７０…マイコン、７１…第１入力側端子、７２…第２入力側端子、７３…第３入力側端子、７４…出力側端子
【図１】
2013094269.tif 000003
【図２】
2013094269.tif 000004
【図３】
2013094269.tif 000005
【図４】
2013094269.tif 000006
【図５】
2013094269.tif 000007
【図６】
2013094269.tif 000008
【図７】
2013094269.tif 000009
【図８】
2013094269.tif 000010
【図９】
2013094269.tif 000011
【図１０】
2013094269.tif 000012